(57)【要約】      （修正有）【課題】料理機器の回転軸及びモーターを安定的に固定できる料理機器の回転軸固定構造を提供する。【解決手段】ベース４及びオーブンパン１を有し、ベース内にはモーター３４が配設され、モーターには駆動軸３２が連結され、オーブンパンの下部分には回転軸１１が配設され、回転軸を介してベースに嵌入して連結される料理機器の回転軸固定構造において、ベースは、モーター及び駆動軸を固定する取付ベース３を更に有し、取付ベースは上下を連結するコネクター３１及び下側蓋体３５を有し、コネクター及び蓋体が連結されて内部のモーターチャンバー及び回転軸チャンバーを形成し、モーターはモーターチャンバーに配設され、モーターの駆動アーム３４１は回転軸チャンバーに延び、駆動軸は回転軸チャンバー内に配設され、モーター駆動アームと連結され、オーブンパンは回転軸を介して上部開口を貫通して駆動軸と連結され、モーターの駆動により回転する。【選択図】図２
2018079295.tif 000002
【特許請求の範囲】
【請求項１】
ベース及びオーブンパンを有し、前記ベース内にはモーターが配設され、前記モーターには駆動軸が連結され、前記オーブンパンの下部分には回転軸が配設され、回転軸を介してベースに嵌入して連結される料理機器の回転軸固定構造において、
前記ベースは、モーター及び駆動軸を固定する取付ベースを更に有し、前記取付ベースは上下を連結するコネクター及び下側蓋体を有し、前記コネクター及び下側蓋体が連結されて内部のモーターチャンバー及び回転軸チャンバーを形成し、
前記モーターはモーターチャンバーに配設され、モーターの駆動アームは回転軸チャンバーに延び、
前記駆動軸は、回転軸チャンバー内に配設され、モーター駆動アームと連結され、
前記回転軸チャンバーにはオーブンパンの回転軸が嵌入するように上部開口が配設され、
前記オーブンパンは、回転軸を介して上部開口を貫通して駆動軸と連結され、モーターの駆動により回転することを特徴とする料理機器の回転軸固定構造。
【請求項２】
前記回転軸チャンバーの内壁と連結する軸スリーブを更に有し、前記軸スリーブの直径はオーブンパンの回転軸と係合されて、回転軸が軸スリーブの内部において直径が円周方向に回転することを特徴とする請求項１に記載の料理機器の回転軸固定構造。
【請求項３】
前記軸スリーブの外壁には凸状リングが配設され、前記回転軸チャンバーの内壁には凸状リングと係合される凹状レールが配設され、前記軸スリーブは凸状リング及び凹状レールが係合されることにより回転軸チャンバーの内壁に固定されることを特徴とする請求項２に記載の料理機器の回転軸固定構造。
【請求項４】
前記軸スリーブの内壁の上下の両端には内側に延びる位置固定リングが配設され、且つ、位置固定リングを介してオーブンパンの回転軸が軸スリーブ内において直径が円周方向に回転するように維持することを特徴とする請求項３に記載の料理機器の回転軸固定構造。
【請求項５】
前記コネクターの外壁には複数の支持棒が配設されることを特徴とする請求項１に記載の料理機器の回転軸固定構造。
【請求項６】
前記駆動軸とモーターとの間に受止台が更に配設され、前記受止台にはモーター駆動アームが通過する貫通孔が配設され、前記駆動軸には受止台と対応する位置に排水孔を設定し、前記下側蓋体には配列孔が設定されており、前記受止台の下部分には配列孔の方向に設定された排水管が配設されていて、回転軸チャンバー内に侵入された水が排水孔を介して受止台に流入し、排水管を経て配列孔を介して外部に排出されることを特徴とする請求項１に記載の料理機器の回転軸固定構造。
【請求項７】
前記受止台には位置固定溝が配設され、前記コネクターの内壁には位置固定溝と係合される位置固定ブロックが配設され、前記受止台は、位置固定溝及び位置固定ブロックの連結により受止台及びコネクターが連結されるとき、前記排水管の開口が下側蓋体の配列孔を向くようにすることを特徴とする請求項６に記載の料理機器の回転軸固定構造。
【請求項８】
前記コネクターの下部分はモーターチャンバーの上面に位置し、位置固定柱及びボルト孔が設定され、前記モーターには位置固定孔が設定され、前記位置固定孔及びボルト孔はボルトを介して連結して固定するため、モーターがモーターチャンバーの上部に固定されて、下側蓋体と分離されることを特徴とする請求項１に記載の料理機器の回転軸固定構造。
【請求項９】
請求項１乃至請求項８のうちのいずれか一項に記載の固定構造を適用した料理機器において、
上部加熱源と、オーブンパン及びベースを有し、前記ベースには上部蓋体が配設され、上部蓋体にはオーブンパンの回転軸が嵌入して連結されるように貫通孔が配設され、前記上部加熱源はオーブンパンの上に配設される料理機器において、
前記ベース内には前記取付ベースが配設され、前記取付ベース内にはモーター及び駆動軸が配設され、前記回転軸チャンバーの上部開口はベースの上部蓋体の貫通孔と連結され、前記オーブンパンは、回転軸を介して上部開口を通過して駆動軸と連結され、モーターの駆動により回転することを特徴とする料理機器。
【請求項１０】
前記上部蓋体の貫通孔にはインナーフランジが配設され、上部蓋体がベースに配設される場合、前記インナーフランジはコンタクターの上部開口に連結されることを特徴とする請求項９に記載の料理機器。
【発明の詳細な説明】
【技術分野】
【０００１】
本発明は、料理機器の部品分野に係り、更に詳しくは、料理機器の回転軸固定構造及びそれを適用する料理機器に関する。
【背景技術】
【０００２】
生活の質が向上することに伴い、料理への人々のニーズが次第に高まりつつある。料理に用いられる設備も益々発展し、中でも、料理機器は、当然のことながら最も頻繁に用いられる料理設備の一つである。市販中の料理機器は、一般に、上部加熱源と、オーブンパン及びベースを有し、ベース内にはモーター及び回転軸が配設され、オーブンパンはベースに配設されて、モーター回転軸と連結され、モーターを介してオーブンパンの回転を駆動して、オーブンパンの上に置かれた食べ物が上部加熱源の作用により均一に加熱されて、おいしい食べ物を料理することができる。
【０００３】
従来の技術による料理機器におけるオーブンパンの回転軸は、一般に、部品を組み立てる方式により構成されている。例えば、下記の特許文献１には、料理機器の回転軸固定構造が開示されており、図１に示すように、オーブンパン及びベース１Ａを有し、ベース１Ａの下にモーター３０１が固定されており、コネクター５’はモーター３０１の回転軸に固定され、ベース１Ａにはコネクターが通過するように孔１Ａ３が設定され、コネクター５’は前記孔を通過してオーブンパンと連結された後、モーター３０１の駆動によりコネクター５’及びオーブンパンを回転させ、コネクターにはコネクターの上端を固定する三角板が配設される。前記回転軸固定構造は、コネクターをモーターに配設した後、モーターをベースに配設して、コネクターがベース上の孔を通過するようにし、コネクターを固定する三角板はベースに配設する。これから明らかなように、このような組立て関係は、料理機器の組立て過程において相対的に大きな組立て誤差を発生させて、各回転軸の構成部品間の同心度を保証することが困難であり、料理機器の良品率を低下させる。オーブンパンの回転軸が回転するとき、各回転軸の構成部品間の同心度が高くないため、回転軸の各構成部品の摩耗が促され、各回転軸間の摩擦力が増大され、電力の消耗が増大されて、料理機器の電気消耗が増大される。なお、同心度が低いため、回転に際して騒音を引き起こす虞があり、オーブンパンの回転が不安定であるためユーザーの正常的な使用に影響を及ぼす。
【先行技術文献】
【特許文献】
【０００４】
【特許文献１】中国実用新案第ＺＬ２０１６２０１１５９２０．２号明細書
【発明の概要】
【発明が解決しようとする課題】
【０００５】
本発明の目的は、料理機器の回転軸固定構造及びそれを適用する料理機器を提供することである。前記固定構造によれば、料理機器の回転軸及びモーターを安定的に固定することができ、回転軸の構成部品間の同心度を保証して回転効率を高めることができ、オーブンパンが安定的に回転するようにして、ユーザーが安心して料理機器を使用することができる。
【課題を解決するための手段】
【０００６】
前記目的を達成するために、本発明は、下記のような技術方案を提供する。
【０００７】
本発明に係る料理機器の回転軸固定構造は、ベース及びオーブンパンを有し、前記ベース内にはモーターが配設され、前記モーターには駆動軸が連結され、前記オーブンパンの下部分には回転軸が配設され、回転軸を介してベースに嵌入して連結される料理機器の回転軸固定構造において、前記ベースは、モーター及び駆動軸を固定する取付ベースを更に有し、前記取付ベースは上下を連結するコネクター及び下側蓋体を有し、前記コネクター及び下側蓋体が連結されて内部のモーターチャンバー及び回転軸チャンバーを形成し、前記モーターはモーターチャンバーに配設され、モーターの駆動アームは回転軸チャンバーに延び、前記駆動軸は回転軸チャンバー内に配設され、モーター駆動アームと連結され、前記回転軸チャンバーにはオーブンパンの回転軸が嵌入するように上部開口が配設され、前記オーブンパンは回転軸を介して上部開口を貫通して駆動軸と連結され、モーターの駆動により回転する。
【０００８】
本発明に係る料理機器の回転軸固定構造と、従来の技術による料理機器の回転軸固定構造とを比較する。従来の技術による料理機器の回転軸固定構造は、各回転軸の構成部品がベースに組み付けられて、組立て関係が複雑であり、組立て基準が統一されていないという問題があり、その結果、各構成部品間の同心度を保証することができない。これを解消するために、本発明者は鋭意検討を行ったところ、回転軸固定構造の同心度の問題を改善するに至った。また、独立的な取付ベースを追加するので、回転軸の構成部品を統一して取付ベース内に固定し、取付ベースはベースの上に配設する。モーター及び駆動軸は取付ベースを配設基準として設定し、且つ、取付ベース内に統一的に配設して一体に形成されるので、組立てによる組立て誤差が同心度に影響を及ぼすことを低減することができる。更に、取付ベースを全体的にベースに配設するので、オーブンパンの回転軸が取付ベースの上側開口に嵌入して駆動軸と連結されて、全体の回転軸固定構造の各回転軸の構成部品間の同心度が統一されるようにして、オーブンパンの回転がなお一層円滑に行われる。更にまた、各回転軸間の同心度が統一されるので、回転軸の転倒効率が高くなり、回転軸間の同心度が低いことに起因して生成された摩擦力を効率よく弱めて料理機器の電力消耗を減らし、これは、省エネルギーにつながる。一方、料理機器の回転軸間の同心度を高めるので、各回転軸の構成要素間の摩擦力を減らすとともに、摩擦力による故障の問題、例えば、大きな摩擦力は回転軸の発熱を引き起こす可能性が非常に高く、激しい場合にはモーターを毀損させる虞があるという問題、或いは、回転軸の回転に当たって回転軸の衝突を引き起こす虞があり、騒音を引き起こしてユーザーの使用体験に影響を及ぼす虞があるなどの問題も解消することができる。これにより、ユーザーは料理機器を安全に使用することができ、食べ物を料理することを楽しむことができる。
【０００９】
前記回転軸チャンバーの内壁と連結する軸スリーブを更に有し、前記軸スリーブの直径はオーブンパンの回転軸と係合されて、回転軸が軸スリーブの内部において直径が円周方向に回転することが好ましい。前記軸スリーブは取付ベースと一体に形成され、オーブンパン軸と間隔を隔てて係合して、オーブンパンを支えて固定することができ、オーブンパンの回転軸と取付ベースとの間の摩擦力を減らして、オーブンパンの回転がなお一層円滑に行われて、料理機器の電力消耗を減らすことができる。
【００１０】
前記内容に基づいて、前記軸スリーブの外壁には凸状リングが配設され、前記回転軸チャンバーの内壁には凸状リングと係合される凹状レールが配設され、前記軸スリーブは凸状リング及び凹状レールが係合されることにより回転軸チャンバーの内壁に固定される。
【００１１】
更に、前記軸スリーブの内壁の上下の両端には内側に延びる位置固定リングが配設され、且つ、位置固定リングを介してオーブンパンの回転軸が軸スリーブ内において円周方向に回転するように維持する。二つの位置固定リングはオーブンパン軸を固定することを補助して、オーブンパンが軸スリーブ内において動くことを防ぎ、二つの位置固定リングはオーブンパン軸と間隔を隔てた状態で係合して、軸スリーブ及びオーブンパン軸間の接触面積を狭め、これは、軸スリーブ及びオーブンパン軸間の摩擦力を弱める上で有利である。
【００１２】
更にまた、前記コネクターの外壁には複数の支持棒が配設される。これは、コネクターの硬さ及び荷重能力を高め、その結果、材料の使用量が節減され、しかも、軽量化及びコストダウンが図れる。
【００１３】
前記駆動軸とモーターとの間に受止台が更に配設され、前記受止台にはモーター駆動アームが通過する貫通孔が配設され、前記駆動軸には受止台と対応する位置に排水孔を設定し、前記下側蓋体には配列孔が設定されており、前記受止台の下部分には配列孔の方向に設定された排水管が配設されていて、回転軸チャンバー内に侵入された水が排水孔を介して受止台に流入し、排水管を経て配列孔を介して外部に排出されることが好ましい。
【００１４】
前記受止台は、ユーザーが料理機器の掃除をするときやミスを犯したときに水が上から回転軸固定構造の内部に流入することを防ぐことができ、前記受止台は上から流下した水を受け止めた後、排水管を介して下側蓋体に排出し、下側蓋体の配列孔を介して料理機器の外部に排出して、モーターが水に濡れることを防ぐ。
【００１５】
加えて、前記受止台には位置固定溝が配設され、前記コネクターの内壁には位置固定溝と係合される位置固定ブロックが配設され、前記受止台は位置固定溝及び位置固定ブロックの連結により受止台及びコネクターが連結されるとき、前記排水管の開口が下側蓋体の配列孔を向くようにする。前記位置固定構造は簡単であり、受止台の位置を固定することができて、受止台の上にある排水管がモーターの一方の側から排出できるように位置固定をし、受止台を配設しやすくし、排水管がモーターの配設に影響を及ぼすことはない。
【００１６】
また、前記コネクターの下部分はモーターチャンバーの上面に位置し、位置固定柱及びボルト孔が設定され、前記モーターには位置固定孔が設定され、前記位置固定孔及びボルト孔はボルトにより連結されて固定されるため、モーターがモーターチャンバーの上部に固定されて、下側蓋体と分離される。位置固定柱及びボルト孔を介してモーターを固設する。これは、配設し易く、モーター及び下側蓋体が分離されて、ユーザーがミスで水をテーブルに注いでしまった場合にモーターが濡れて料理機器が正常に作動できないことを防ぐことができ、上側の排水管から落下された水滴がモーターの作業に影響を及ぼすことなく直接的に下側蓋体から配列孔に排出することができる。
【００１７】
本発明は、前記固定構造を適用する料理機器を提供し、これは、上部加熱源と、オーブンパン及びベースを有し、前記ベースには上部蓋体が配設され、上部蓋体にはオーブンパンの回転軸が嵌入して連結されるように貫通孔が配設され、前記上部加熱源はオーブンパンの上に配設される料理機器において、前記ベース内には前記取付ベースが配設され、前記取付ベース内にはモーター及び駆動軸が配設され、前記回転軸チャンバーの上部開口はベースの上部蓋体の貫通孔と連結され、前記オーブンパンは回転軸を介して上部開口を通過して駆動軸と連結され、モーターの駆動により回転する。
【００１８】
また、前記上部蓋体の貫通孔にはインナーフランジが配設され、上部蓋体がベースに配設される場合、前記インナーフランジはコンタクターの上部開口に連結される。上部蓋体を配設するに当たって、前記インナーフランジはコネクターに連結され、オーブンパンの回転軸が貫通されて駆動軸と連結されるように上部蓋体の貫通孔の位置が常にコネクターの開口位置の上に位置することを保証する。
【発明の効果】
【００１９】
以上述べたように、本発明に係る料理機器は、ベース及びオーブンパンを有し、前記ベース内に配設されたモーター及び駆動軸固定用取付ベースを更に有し、前記取付ベースにはモーターチャンバー及び回転軸チャンバーを形成し、その結果、料理機器の回転軸及びモーターを安定的に固定することができ、回転軸の構成部品間の同心度を保証して回転効率を高めることができ、オーブンパンが安定的に回転するようにして、ユーザーが安心して料理機器を使用することができる。
【図面の簡単な説明】
【００２０】
【図１】従来の技術である中国実用新案第ＺＬ２０１６２０１１５９２０．２号明細書の構造図である。
【図２】本発明の回転軸固定構造の料理機器を適用する分解断面図である。
【図３】本発明の回転軸固定構造の分解断面図である。
【図４】本発明の回転軸固定構造の断面図である。
【図５】本発明の回転軸固定構造のコネクターの立体図である。
【図６】本発明の回転軸固定構造の受止台の立体図である。
【図７】本発明の料理機器のオーブンパンの立体図である。
【図８】本発明の料理機器のベースの上部蓋体の断面図である。
【図９】図８におけるＡ部分の一部拡大図である。
【図１０】本発明の料理機器のベース及び回転軸固定構造の立体図である。
【発明を実施するための形態】
【００２１】
以下、添付図面と結び付けて本発明に係る料理機器の回転軸固定構造及びそれを適用する料理機器について説明する。
【００２２】
図２から図１０に示すように、料理機器の回転軸固定構造及びそれを適用する料理機器は、上部加熱源と、オーブンパン１及びベース４を有し、前記ベース４には上部蓋体２が配設され、上部蓋体２にはオーブンパンの回転軸１１が嵌入して連結されるように貫通孔２１が設定され、前記上部加熱源はオーブンパン１の上に配設される。前記ベース４内にはモーター３４が配設され、前記モーター３４には駆動軸３２が連結される。前記オーブンパン１の下部分には回転軸１１が配設され、回転軸１１を介してベース４に嵌入して連結される。前記ベース４にはモーター３４及び駆動軸３２を固定する取付ベース３が更に配設され、前記取付ベース３には上下を連結するコネクター３１及び下側蓋体３５が配設され、前記コネクター３１及び下側蓋体３５が連結されて内部にモーターチャンバー６及び回転軸チャンバー７を形成する。前記モーター３４はモーターチャンバー６内に配設され、モーター３４のモーター駆動アーム３４１は回転軸チャンバー７に延びる。前記駆動軸３２は回転軸チャンバー７内に配設され、モーター３４のモーター駆動アーム３４１と連結される。前記回転軸チャンバー７にはオーブンパン１の回転軸１１が嵌入するように上部開口３１２が設定される。前記オーブンパン１は、回転軸１１を介して上部開口３１２を通過して駆動軸３２と連結され、モーター３４の駆動により回転する。
【００２３】
図３に示すように、前記コネクター３１はオーブンパンの回転軸１１が嵌入した位置と対応する位置に軸スリーブ５が配設され、前記軸スリーブ５はコネクター３１の回転軸チャンバー７の内壁に連結され、軸スリーブ５の外壁には複数の凸状リング５１が配設されて回転軸チャンバー７の内壁の凹状レール３１６と係合されて軸スリーブ５を固定する。軸スリーブ５の内壁の上下の両端には内部に延びる位置固定リング５２が更に配設され、位置固定リング５２を介してオーブンパン１の回転軸１１が軸スリーブ５内において直径が円周方向に回転することを維持する。
【００２４】
また、図２に示すように、前記オーブンパン１はコネクター３１に連結される場合、前記オーブンパン１の下部分は軸スリーブ５の上部の表面と接触され、コネクター３１の外壁には複数の支持棒３１１が更に配設されて、コネクター３１の硬さ及び荷重能力を高める。
【００２５】
更に、図２から図６に示すように、前記駆動軸３２とモーター３４との間には受止台３３が更に配設され、前記受止台３３にはモーター駆動アーム３４１が通過するように貫通孔３３２が設定される。前記駆動軸３２は、受止台３３の対応する位置に排水孔３２１が配設され、前記下側蓋体３５には配列孔３５１が設定され、前記受止台３３の下部分には配列孔３５１の方向に設定された排水管３３１が配設されて、回転軸チャンバー７内に侵入された水が排水孔３２１から受止台３３に流入して、再び排水管３３１を経て配列孔３５１を介して外部に排出される。
【００２６】
前記内容を踏まえて、前記受止台３３には位置固定溝３３３が配設され、前記コネクター３１の内壁には位置固定溝３３３と係合される位置固定ブロック３１３が配設される。前記受止台３３は位置固定溝３３３を介して位置固定ブロック３１３と連結し、受止台３３及びコネクター３１が連結される場合、前記受止台３３の開口は下側蓋体３５の配列孔３５１を向く。前記コネクター３１の下部分はモーターチャンバー６の上面に位置し、位置固定柱３１４及びボルト孔３１５が配設され、前記モーター３４には位置固定孔３４２が配設され、前記位置固定孔３４２及びボルト孔３１４はボルトを介して連結されて固定されて、モーター３４をモーターチャンバー６の上部に固定して、下側蓋体３５と分離される。このため、水が排水管３３１に流下して、水が下側蓋体３５の底面に落下する場合、モーター３４及び下側蓋体３５が分離されて水がモーター３４を濡らすことを防ぐことができる。
【００２７】
また、図８から図１０に示すように、前記ベース４には上部蓋体２が配設され、前記上部蓋体２の貫通孔２１にはインナーフランジ２２が配設され、上部蓋体２がベース４に配設される場合、前記インナーフランジ２２はコネクター３１の上部開口３１２と連結されて、上部蓋体２を固定する。
【００２８】
前記詳細な説明の欄における開示及び教示を通じて、本発明が属する技術分野における通常の技術者は前記実施方式に対して変更及び修正を加えることができる。よって、本発明は上述した開示及び教示による具体的な実施方式により何等限定されるものではなく、本発明に対する前記修正及び変更もまた本発明の請求の保護範囲に属する。なお、本明細書においては特定の用語が使用されているが、これらは説明しやすさのために使用されたものに過ぎず、本発明を限定するものではない。
【符号の説明】
【００２９】
１      オーブンパン
２      上部蓋体
３      取付ベース
４      ベース
５      軸スリーブ
６      モーターチャンバー
７      回転軸チャンバー
１１    回転軸
２１    貫通孔
２２    インナーフランジ
３１    コネクター
３２    駆動軸
３３    受止台
３４    モーター
３５    下側蓋体
５１    凸状リング
５２    位置固定リング
３１１  支持棒
３１２  上部開口
３１４  位置固定柱
３１５  ボルト孔
３１６  凹状レール
３２１  排水孔
３３１  排水管
３３３  位置固定溝
３４１  モーター駆動アーム
３４２  位置固定孔
３５１  配列孔
【図１】
2018079295.tif 000003
【図２】
2018079295.tif 000004
【図３】
2018079295.tif 000005
【図４】
2018079295.tif 000006
【図５】
2018079295.tif 000007
【図６】
2018079295.tif 000008
【図７】
2018079295.tif 000009
【図８】
2018079295.tif 000010
【図９】
2018079295.tif 000011
【図１０】
2018079295.tif 000012